(57)【要約】【課題】  位置情報に基づいた受信環境に応じて受信処理を適応的に変化させることで、消費電力を削減可能な放送受信装置を提供する。【解決手段】  放送波を受信処理する受信処理部１０と、受信地の位置情報を取得し、受信地の位置情報に応じて、受信環境が放送衛星からの放送波主体又はＧＦからの放送波主体のいずれであるかを判定する受信環境判定部３と、受信環境判定部３が判定した受信環境に応じて受信処理部１０の受信処理を制御する受信制御部１５ａとを備える。【選択図】  図２
2007195041.tif 000002
【特許請求の範囲】
【請求項１】
放送衛星及びギャップフィラーからの放送波を受信可能な放送受信装置であって、
前記放送波を受信処理する受信処理部と、
受信地の現在位置情報を取得し、前記現在位置情報に応じて、受信環境が前記放送衛星からの放送波主体又は前記ギャップフィラーからの放送波主体のいずれであるかを判定する受信環境判定部と、
前記判定された受信環境に応じて前記受信処理を制御する受信制御部
とを備えることを特徴とする放送受信装置。
【請求項２】
地図情報と前記ギャップフィラーの設置位置を関連付けた設置位置情報を記憶する設置位置情報記憶部と、
前記現在位置情報を前記設置位置情報と照合して、前記放送衛星又は前記ギャップフィラーからの放送波の受信に適した位置を判定する受信位置判定部と、
前記受信に適した位置を利用者に通知する通知部
とを更に備えることを特徴とする請求項１に記載の放送受信装置。
【請求項３】
前記受信処理後の受信信号に施されている暗号の復号化を行う復号化部と、
地上通信網と無線通信を行う通信部と、
ＩＣカードにアクセスするカードインタフェースと、
前記受信処理後の受信信号、前記地上通信網、及び前記ＩＣカードのいずれか１つから、前記暗号の復号化に使用する復号鍵を取得する復号鍵取得部
とを更に備えることを特徴とする請求項１又は２に記載の放送受信装置。
【請求項４】
地上通信網と通信を行う通信部を更に備え、
前記受信制御部が、前記放送波により伝送される放送コンテンツのダウンロード中に前記ダウンロードが継続不能となった場合、前記通信部に対して前記放送コンテンツの前記ダウンロードを再開させることを特徴とする請求項１又は２に記載の放送受信装置。
【請求項５】
前記受信制御部が、前記現在位置情報に応じて、前記ダウンロードが継続不能であるかを判定することを特徴とする請求項４に記載の放送受信装置。
【発明の詳細な説明】
【技術分野】
【０００１】
本発明は、モバイル衛星デジタル放送に適用される放送受信装置に関する。
【背景技術】
【０００２】
移動体向け通信又は放送システムでは、伝送方式の１つとしてスペクトラム拡散技術を用いた符号分割多重（ＣＤＭ）方式が利用されている。ＣＤＭ方式を用いる放送の１つとして、移動体向けモバイル衛星デジタル放送がある。
【０００３】
モバイル衛星デジタル放送で用いる搬送周波数は非常に高いために電波の直進性が強く、都市部のビル等の遮蔽物の陰では衛星波を直接受信できない地域が生じる。そこで、このような地域にはギャップフィラー（ＧＦ）と呼ばれる地上再送信装置が設けられている。
【０００４】
しかし、ギャップフィラーからの電波は、ＧＦからの直接波のほかに、建物の壁等で何回も反射・屈折された反射波となって様々な方向から多数受信装置に到達することがある。このような電波環境はマルチパス環境と呼ばれる。マルチパス環境における安定した受信のためにＣＤＭ受信装置にはＲＡＫＥ受信部が設けられている（例えば、特許文献１参照。）。
【０００５】
ＲＡＫＥ受信部は、フィンガと呼ばれる処理部を複数備え、マルチパス環境における複数のパスを分離して各フィンガに１つずつ割当てて受信し、これらの受信結果を合成するＲＡＫＥ合成を行う。そのため、ＣＤＭ受信装置にはマッチドフィルタや受信信号相関検出部などが設けられ、パス位置の推定やフィンガへのパスの割当てなどの演算が行われている。
【０００６】
一方、広大な面積の国土においては放送のサービス開始当初は、都市部以外ではＧＦが設置されていることが少なく、衛星からの直接波のみを受信する可能性が高い。この場合、ＲＡＫＥ受信部のフィンガへ割当てるパス数は１つか２つ程度になるが、衛星からの電波の受信レベルが低いため、ＣＤＭ受信装置のチューナ部には低雑音増幅器（ＬＮＡ）を備える必要がある。又は、ＬＮＡを含んだアンテナを外付けし、利用者の判断で着脱するといった人による選択で行っていた。
【０００７】
移動体の移動に伴い、移動体に搭載されるモバイル衛星デジタル放送受信用の受信装置の受信環境は様々に変化する。そこで、従来のモバイル衛星デジタル放送受信用の受信装置は、ＧＦ環境のマルチパスの多い電波環境にも衛星からの直接波のみを受信する環境にも対応できるように、そのすべての機能を常に最大限の性能で使用するフルスペック仕様となっている。
【０００８】
しかしながら、様々な受信環境に対応できるようなフルスペック仕様とすることは、受信環境によっては過剰な仕様となる。例えば、ＧＦからの直接波を受信する環境では、受信波のレベルが高いためチューナ部のＬＮＡは過剰な仕様となる。一方、衛星からの直接波のみを受信する環境では、反射波がほとんどないためＲＡＫＥ受信部に多数のフィンガを設けることは過剰な仕様となる。このような様々な受信環境に対応できるようなフルスペック仕様となっているモバイル衛星デジタル放送受信用の受信装置は、消費電力が増加する。
【特許文献１】特開２００２−９４４１３号公報
【発明の開示】
【発明が解決しようとする課題】
【０００９】
本発明は、位置情報に基づいた受信環境に応じて受信処理を適応的に変化させることで、消費電力を削減可能な放送受信装置を提供する。
【課題を解決するための手段】
【００１０】
本発明の一態様によれば、放送衛星及びギャップフィラーからの放送波を受信可能な放送受信装置であって、放送波を受信処理する受信処理部と、受信地の現在位置情報を取得し、現在位置情報に応じて、受信環境が放送衛星からの放送波主体又はギャップフィラーからの放送波主体のいずれであるかを判定する受信環境判定部と、判定された受信環境に応じて受信処理を制御する受信制御部とを備える放送受信装置が提供される。
【発明の効果】
【００１１】
本発明によれば、位置情報に基づいた受信環境に応じて受信処理を適応的に変化させることで、消費電力を削減可能な放送受信装置を提供できる。
【発明を実施するための最良の形態】
【００１２】
次に、図面を参照して、本発明の実施形態を説明する。以下の実施形態における図面の記載において、同一又は類似の部分には同一又は類似の符号を付している。
【００１３】
本発明の実施形態に係る放送受信装置の説明の前に、放送受信装置の適用される放送システムの構成について簡単に説明する。図１に示す放送システムは、地上放送局１０１、放送衛星１０２、及びＧＦ１０３を有する。地上放送局１０１は、複数チャネルにそれぞれ放送コンテンツのパケットデータを割当てて多重して放送信号を生成し、生成した放送信号を変調して高周波（ＲＦ）帯に周波数変換して送出する。放送衛星１０２は、地上放送局１０１から送出された放送波を中継し、所定地域へ配信する。衛星波を直接受信できない地域にはＧＦ１０３が設置される。したがって、放送受信装置１ａ，１００ａの受信環境は受信地に応じて変化することとなる。
【００１４】
放送受信装置１ａは、図２に示すように、放送波を受信処理する受信処理部１０と、受信地の現在位置情報を取得し、現在位置情報に応じて、受信環境が放送衛星１０２からの放送波（以下「衛星波」という。）主体又はＧＦ１０３からの放送波（以下「ＧＦ波」という。）主体のいずれであるかを判定する受信環境判定部３と、受信環境判定部３が判定した受信環境に応じて受信処理部１０の受信処理を制御する受信制御部１５ａとを備える。
【００１５】
受信環境に応じて受信処理部１０の受信処理を適応的に変更することで、フルスペック仕様の受信処理を常時実行することがないため、消費電力を削減できる。
【００１６】
受信処理部１０は、ダイバーシチアンテナ部１１、チューナ部１２、ＣＤＭ復調部１３、及び誤り訂正（ＦＥＣ）部１４を備える。ダイバーシチアンテナ部１１は、２つのアンテナ１１ａ，１１ｂを用いて放送波を受信し、各アンテナ１１ａ，１１ｂから受信信号として出力する。チューナ部１２は受信信号を検波する。ＣＤＭ復調部１３は、ＲＡＫＥ受信を行うＲＡＫＥ受信処理部１３１を具備し、チューナ部１２が検波した受信信号をＣＤＭ復調する。ＦＥＣ部１４は、復調した受信信号の誤り訂正を行う。ここで、ダイバーシチアンテナ部１１、チューナ部１２、及びＣＤＭ復調部１３は、制御データ記憶部４ｂにあらかじめ格納された制御データによって、受信性能が調整される構成を有している。
【００１７】
一例として、チューナ部１２は図３に示すように、受信信号を増幅するＬＮＡ１２１ａ及び１２１ｂ、制御データに応じてアンテナ１１ａ，１１ｂの使用個数及びＬＮＡ１２１ａ及び１２１ｂの使用・不使用を切り替える切り替え部１２２、及び切り替え部１２２の出力信号を検波するＩＱ直交検波部１２３を備える。アンテナ１１ａ，１１ｂの双方を使用する場合には、切り替え部１２２にてダイバーシチ受信処理が行われる。ＬＮＡ１２１ａ及び１２１ｂを使用しない場合には、切り替え部１２２はＬＮＡ１２１ａ及び１２１ｂの出力信号を入力しないと共に、ＬＮＡ１２１ａ及び１２１ｂに対する電源供給が停止する。なお、チューナ部１２は最小受信感度の切り替え（例えば、−１００ｄＢと−５０ｄＢの切り替え）が可能なように構成されている。
【００１８】
更に、ＣＤＭ復調部１３はサンプリングクロック周波数の切り替え（例えば、１６ＭＨｚと３２ＭＨｚの切り替え）、反射波の許容到達距離の切り替え、マッチドフィルタ段数の切り替え、パス位置検出保護段数の切り替え、及びフィンガのアサイン数の切り替えが可能であり、ＲＡＫＥ受信処理部１３１はアサインされたフィンガに対してＲＡＫＥ処理を行う。
【００１９】
また、受信環境判定部３は、例えば図１に示す全地球測位システム（ＧＰＳ）衛星１０４からのＧＰＳ信号を受信することで現在位置情報を求め、受信環境が衛星波主体又はＧＦ波主体のいずれであるかを判定する。なお、ＧＰＳとは、地上約２０，０００ｋｍを約１２時間で一周する３２基のＧＰＳ衛星１０４からの電波を用いて、地上で三角測量することにより、緯度、経度、高度、及び時刻を得る衛星測位システムである。ＧＰＳ信号の送信には、１．５７５ＧＨｚのマイクロ波が使用される一方、放送波には例えば２ ．６ＧＨｚのマイクロ波（Ｓバンド）が使用されている。
【００２０】
ＧＰＳ信号の受信によって現在位置が判定可能となるため、現在位置を地図情報と照合し、現在位置が都市部であるか又はＧＦ設置地域であるかを受信環境判定の指標とすることができる。この場合、現在位置が都市部又はＧＦ設置地域であれば受信環境がＧＦ波主体であると判定され、現在位置が都市部又はＧＦ設置地域でなければ衛星波主体であると判定される。制御データ記憶部４ｂは、上述の２つの受信環境に対応可能とするように、衛星波主体制御データ及びＧＦ波主体制御データの２つの制御データをあらかじめ格納している。
【００２１】
受信環境判定の精度を向上させるため、図２に示す例においては受信環境判定部３が、地図情報とＧＦ１０３の設置位置を関連付けた設置位置情報を用いて受信環境を判定する。設置位置情報は設置位置情報記憶部４ａにあらかじめ記憶される。具体的には受信環境判定部３は、ＧＰＳ信号を受信して現在位置情報を出力するＧＰＳ受信部３２と、ＧＰＳ受信部３２から出力された現在位置情報を設置位置情報と照合し、ＧＦ１０３が近隣（例えば、半径３ｋｍ以内）に設置されているかに応じて受信環境が放送衛星波主体又はＧＦ波主体のいずれであるかを判定する放送波判定部３３を備える。放送波判定部３３では、近隣にＧＦ１０３が設置されていない場合に衛星波主体の受信環境であると判定され、近隣にＧＦ１０３が設置されている場合にＧＦ波主体の受信環境であると判定される。
【００２２】
受信制御部１５ａは、放送波判定部３３の判定結果に基づいて制御データ記憶部４ｂに記憶されている２つの制御データのうち１つを選択する。すなわち、衛星波主体の受信環境であると判定されたときは衛星波主体受信環境用の制御データを選択し、ＧＦ波主体の受信環境であると判定されたときはＧＦ波主体受信環境用の制御データを選択する。受信制御部１５ａが選択した制御データは、ダイバーシチアンテナ部１１、チューナ部１２、及びＣＤＭ復調部１３に設定される。
【００２３】
詳細には制御データは、ダイバーシチアンテナ部１１で使用するアンテナの数の設定、チューナ部１２の最小受信レベルの設定、ＬＮＡ１２１ａ又は１２１ｂの使用／不使用の設定、ＣＤＭ復調部１３の反射波の到達許容距離の設定、サンプリングクロック周波数の設定、マッチドフィルタの段数の設定、パス位置保護段数の設定及びＲＡＫＥ受信処理部１３１の使用フィンガ数の設定に用いられる。
【００２４】
衛星波主体の受信環境用の制御データにおいては、ダイバーシチアンテナ数は１とし、微弱な衛星波を受信できるように最小受信レベルは例えば−１００ｄＢとし、更にＬＮＡ１２１ａ，１２１ｂを使用する。また、基本的に反射波がない受信環境と想定されるので、反射波の許容到達距離を３ｋｍ相当程度に小さく設定し、サンプリング周波数を１６ＭＨｚと低く設定してサンプル数を少なくし、マッチドフィルタの段数及びパス位置検出保護段数も少なくし、ＲＡＫＥ受信処理部１３１の使用フィンガ数も２程度に少なくする。
【００２５】
これに対してＧＦ波主体の受信環境用の制御データにおいては、複数のＧＦ１０３からの多数の反射波を受信可能とするため、ダイバーシチアンテナ数は２とし、最小受信レベルは例えば−５０ｄＢとし、ＬＮＡ１２１ａ及び１２１ｂは使用しないようにする。また、反射波の反射回数が複数回あることを想定して、反射波の許容到達距離を１０ｋｍ相当程度に設定し、サンプリング周波数を３２ＭＨｚと高く設定してサンプル数を多くし、マッチドフィルタの段数及びパス位置検出保護段数も多くし、ＲＡＫＥ受信処理部１３１の使用フィンガ数は最大の１２にする。
【００２６】
このようにして、受信環境に応じた適応的な受信処理が実行されることとなる。受信処理後の受信信号は、パケットデータとして図２に示す復号化部６及び復号鍵取得部８に伝達される。復号鍵取得部８は、受信信号に多重されている復号鍵を取得し、取得した復号鍵を復号化部６に供給する。復号化部６は、復号鍵を用いて、受信処理後の受信信号に施されている暗号の復号化を行う。復号化された受信信号はデコーダ７に伝達される。デコーダ７は、パケットデータから各放送コンテンツの映像、音声、及びデータ等の情報をデコードする。映像情報は通知部９の表示部９１に供給され、音声情報は通知部９の音声出力部９２に供給される。表示部９１は映像情報に各種の映像処理を行った後に映像として表示する。音声出力部９２は音声情報に各種の音声処理を行った後に音声として出力する。
【００２７】
更に、受信位置判定部５及び通知部９は、放送波の受信に適した位置を利用者に通知する機能を有する。ここで「受信に適した位置」とは、一定時間継続して良好な受信品質を維持可能な受信位置を意味し、例えばＧＦ１０３の周辺地域を受信に適した位置とすることができる。地図情報に地形等の情報が含まれている場合、放送衛星１０２の存在する南南東の方角に遮蔽物のない地域を受信に適した位置とすることもできる。あるいは、放送波の受信に適した位置の情報を地図情報上にあらかじめ登録しておいても良い。
【００２８】
受信位置判定部５が判定した受信に適した位置の情報は、所定のフォーマットに変換されて表示部９１及び音声出力部９２に伝達され、映像又は音声として利用者に通知される。一例として、図４に示すように、表示部９１上に「現在位置から〜までは受信良好地帯です。ダウンロードが可能です」のような映像（テキスト）が表示される。この結果、利用者は、ダウンロードチャネルから放送コンテンツをダウンロードする場合等に、ダウンロードに適した位置を知ることができる。なお、図４に示すようなテキストの表示に限らず、受信に適した位置を地図上に重ね合わせて表示しても良い。
【００２９】
次に、図５に示すフローチャートを参照して、放送受信装置１ａの動作例を説明する。
【００３０】
ステップＳ１０１にて、ＧＰＳ受信部３２が現在位置情報を取得する。
【００３１】
ステップＳ１０２にて、放送波判定部３３が、ステップＳ１０１で取得した現在位置情報を設置位置情報と照合する。
【００３２】
ステップＳ１０３にて、放送波判定部３３が、現在位置周辺にＧＦ１０３が存在するか否かに応じて、衛星波主体又はＧＦ波主体のいずれの受信環境であるか判定される。
【００３３】
ステップＳ１０４にて、受信制御部１５ａが、ステップＳ１０３の判定結果に応じて、制御データ記憶部４ｂから制御データを読み出し、読み出した制御データを受信処理部１０に設定する。
【００３４】
ステップＳ１０５にて、受信位置判定部５が、ステップＳ１０１で取得した現在位置情報を用いて、放送波の受信に適した位置を判定する。
【００３５】
ステップＳ１０６にて、通知部９が、ステップＳ１０５の判定結果に応じて、放送衛星１０２又はＧＦ１０３から放送波を安定して受信可能な位置を利用者に通知する。
【００３６】
以上詳細に説明したように、本発明の実施形態に係る放送受信装置１ａによれば、現在位置に応じて受信環境を判定し、受信処理部１０の構成を受信環境に適した受信性能へ自動的に切り替えることができる。これにより、受信環境に対して受信性能が過剰な仕様となることを防ぐことができ、消費電力を削減可能となる。更に、受信に適した位置を利用者に通知可能となるので、利用者は、例えば放送コンテンツのダウンロードを実行するか否かを、通知部９からの通知内容に応じて決定できる。
【００３７】
（第１変形例）
本発明の実施形態の第１変形例に係る放送受信装置１ｂ，１００ｂは、図６に示すように、地上通信網１１０を介して管理センタ１０７の管理サーバ１０５と双方向通信可能な通信環境下で使用される。地上通信網１１０としては、携帯電話網又はＰＨＳ網等の無線通信網を想定しているが、電話網又はインターネット等の有線通信網を利用してもかまわない。管理サーバ１０５では、放送受信装置の購入者の利用者登録を受け付けて、管理サーバ１０５に利用者名、端末ＩＤ、及び有料番組購入履歴等の登録情報リストが格納されている。管理センタ１０７は、放送受信装置１ｂ，１００ｂから有料番組購入情報が通知されると、管理サーバ１０５にアクセスして端末ＩＤを照合し、照合結果から登録利用者であることが判明された場合に、有料番組の正規利用者として管理サーバ１０５に登録する。更に、正規利用者用の復号鍵をＩＣカード（図示省略）に登録して登録利用者に郵送する。
【００３８】
放送受信装置１ｂは、図７に示すように、地上通信網１１０と通信を行うための通信部２２と、ＩＣカードにアクセスするカードＩ／Ｆ２３とを備える点で、図２に示した放送受信装置１ａとは異なる。復号鍵取得部２４は、受信制御部１５ｂの制御下で、受信処理後の受信信号、通信部２２、及びＩＣカードのいずれか１つから復号鍵を取得する。
【００３９】
上述したように、放送コンテンツに施されている暗号の復号化に使用する復号鍵は、通常、放送波を用いて配布される。しかし、復号鍵は放送受信装置毎に必要となるため、加入者数が増加した場合、復号鍵の配布及び取得に要する時間が増大する。したがって、加入者数が一定数を超えたような場合、地上通信網１１０を介して放送受信装置１ｂ，１００ｂに復号鍵が配布される。よって、受信制御部１５ｂは、通信部２２を用いて地上通信網１１０から復号鍵を取得するよう復号鍵取得部２４を制御する。この結果、加入者の増加に起因する復号鍵配布時間の増加を抑制できる。
【００４０】
また、放送波が良好に受信できず、且つ地上通信網１１０との通信も困難であるような地域においては、放送波及び地上通信網１１０を用いて復号鍵を配布できないため、ＩＣカードに登録された復号鍵が利用される。したがって、現在位置が衛星波及びＧＦ波のいずれも良好に受信できない地域であると受信位置判定部５にて判定され、且つ地上通信網１１０との通信も不可能であると通信部２２にて判定された場合、受信制御部１５ｂは、カードＩ／Ｆ２３を用いてＩＣカードから復号鍵を取得するよう復号鍵取得部２４を制御する。
【００４１】
このように、本発明の実施形態の第１変形例に係る放送受信装置１ｂによれば、加入者増加又は受信品質が劣化した場合に、復号鍵の配布及び取得に要する時間を短縮できる。更に、放送波が良好に受信できず、且つ地上通信網１１０との通信も困難であるような地域においても復号鍵を配布可能となる。
【００４２】
（第２変形例）
本発明の実施形態の第２変形例に係る放送受信装置は、図６に示す放送システムと同様の通信環境下で使用されるが、地上放送局１０１及び管理センタ１０７が統一管理される場合を想定している。この場合、放送波だけでなく地上通信網１１０を介して放送コンテンツを提供可能となる。
【００４３】
本発明の実施形態の第２変形例に係る放送受信装置１ｃは、図８に示すように、通信部２２が地上通信網１１０から放送コンテンツを受信し、受信した放送コンテンツを復号化部６に出力可能な構成としている点が、図７に示す放送受信装置１ｂと異なっている。また、放送受信装置１ｃは、放送波又は地上通信網１１０からダウンロードした放送コンテンツを格納する放送コンテンツ格納部８０を具備している。
【００４４】
受信制御部１５ｃは、放送波により伝送される放送コンテンツのダウンロード中にダウンロードが継続不能となった場合、通信部２２に対して放送コンテンツのダウンロードを再開させる。具体的には、放送波によるダウンロードが継続不能となった場合、ダウンロード対象の放送コンテンツが管理センタ１０７に蓄積されているかを確認し、管理センタ１０７で正規利用者であることの認証がとれた場合にダウンロード再開が可能となる。なお、地上通信網１１０を介したダウンロードに用いる暗号は、放送波で用いる暗号と同一であっても異なっていても良い。
【００４５】
更に、放送波によるダウンロードに対して既に課金が行われている場合、管理センタ１０７（管理サーバ１０５）は、地上通信網１１０によるダウンロード再開時には、ダウンロードに対しては課金せず、通常の通信料のみを課金することが好ましい。
【００４６】
また、ダウンロードが継続不能であるかの判断は、受信位置判定部５の判定結果又は受信信号の信号品質に基づいて行われる。受信位置判定部５の判定結果を利用する場合に関しては、現在位置が衛星波及びＧＦ波のいずれも良好に受信できない地域であると受信位置判定部５にて判定されると、受信制御部１５ｃはダウンロードが継続不能であると判断される。受信信号の信号品質を利用する場合に関しては、ＦＥＣ部１４で算出されるビット誤り率（ＢＥＲ）等を信号品質の尺度とすることができる。なお、ＢＥＲに限らず、搬送波対雑音比（Ｃ／Ｎ比）等を信号品質の尺度としてもかまわない。
【００４７】
次に、図９に示すフローチャートを参照して、放送受信装置１ｃにおけるダウンロード動作例を説明する。
【００４８】
ステップＳ２０１にて、受信制御部１５ｃは、受信処理部１０を用いて放送コンテンツをダウンロードする。
【００４９】
ステップＳ２０２にて、受信制御部１５ｃは、ダウンロードが完了したか否か判定する。ダウンロードが完了したと判定された場合、ダウンロード動作が終了する。ダウンロードが完了していないと判定された場合、ステップＳ２０３に移行する。
【００５０】
ステップＳ２０３にて、受信制御部１５ｃは、受信位置判定部５の判定結果又はＦＥＣ部１４で算出されたＢＥＲ等に基づき、受信環境が悪化したか否か判定する。受信環境が悪化してダウンロードが継続不可能であると判定された場合、ステップＳ２０４に移行する。受信環境が悪化していないと判定された場合、ステップＳ２０１に戻り、ダウンロードが継続される。
【００５１】
ステップＳ２０４にて、受信制御部１５ｃは、ステップＳ２０１でダウンロードしていた放送コンテンツと同一の放送コンテンツを、地上通信網１１０からダウンロード可能であるか否か判定する。具体的には、受信制御部１５ｃは、通信部２２を用いて管理サーバ１０５にアクセスし、正規利用者であることの認証後に、管理サーバ１０５にダウンロード対象の放送コンテンツが存在するか問い合わせることで、ダウンロード再開が可能であるか判定する。ダウンロード再開が可能であると判定された場合、ステップＳ２０５に移行する。ダウンロード再開が不可能であると判定された場合、ステップＳ２０６に移行する。ステップＳ２０６では、ダウンロードの続行が不可能であることを映像又は音声等にて利用者に通知し、ダウンロード動作が終了する。
【００５２】
ステップＳ２０５にて、受信制御部１５ｃは、ダウンロードを再開し、ステップＳ２０７にてダウンロード終了と判定されるまでダウンロード動作を実行する。ステップＳ２０７にてダウンロード終了と判定されると、ダウンロード動作が終了する。
【００５３】
このように、本発明の実施形態の第２変形例に係る放送受信装置１ｃによれば、放送波によるダウンロードが継続不可能となっても、地上通信網１１０を用いてダウンロードを再開させることが可能となる。
【００５４】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５５】
上述した実施形態の説明においては、設置位置情報記憶部４ａに設置位置情報があらかじめ格納されているとして説明したが、通常はＧＦ１０３の設置状況が変化するので、放送波、地上通信網１１０、又はＩＣカード等により、設置位置情報を適宜更新することが望ましい。
【００５６】
また、ダイバーシチアンテナ部１１のアンテナ個数を２としたが、ダイバーシチ効果を向上させるため、３個以上のアンテナを備える構成でも良い。この結果、ダイバーシチ効果が増大し、シャドーイングやフェージング等で電波伝搬環境が悪いときでも、情報伝送速度の低下や通信の瞬断を防ぐことができる。
【００５７】
更に、現在位置情報を取得するＧＰＳ受信部３２を具備する構成例を説明したが、現在位置情報の取得の方法はこの例に限るものではない。例えば、ＧＰＳ受信機能付きのカーナビゲーション装置を利用して、現在位置情報をカーナビゲーション装置のＧＰＳ受信部から入力するようにしても良い。また、利用者がＧＰＳ受信機能付きの携帯電話を携帯している場合、携帯電話で得られた現在位置情報をＭＭＩ（マン・マシン・インタフェース）を介して利用者が入力するようにしても良い。
【００５８】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００５９】
【図１】本発明の実施形態に係る放送システムの構成例を示すブロック図である。
【図２】本発明の実施形態に係る放送受信装置の構成例を示すブロック図である。
【図３】本発明の実施形態に係るチューナ部の内部構成例を示すブロック図である。
【図４】本発明の実施形態に係る表示部上に表示される画像（テキスト）の一例を示す模式図である。
【図５】本発明の実施形態に係る放送受信装置の動作例を示すフローチャートである。
【図６】本発明の実施形態の第１変形例に係る放送システムの構成例を示すブロック図である。
【図７】本発明の実施形態の第１変形例に係る放送受信装置の構成例を示すブロック図である。
【図８】本発明の実施形態の第２変形例に係る放送受信装置の構成例を示すブロック図である。
【図９】本発明の第２変形例に係る放送受信装置の動作例を示すフローチャートである。
【符号の説明】
【００６０】
１ａ〜１ｃ，１００ａ，１００ｂ…放送受信装置
３…受信環境判定部
４ｂ…制御データ記憶部
５…受信位置判定部
６…復号化部
８，２４…復号鍵取得部
９…通知部
１０…受信処理部
１５ａ〜１５ｃ…受信制御部
２２…通信部
１０２…放送衛星
１０３…ギャップフィラー（ＧＦ）
１１０…地上通信網
【図１】
2007195041.tif 000003
【図２】
2007195041.tif 000004
【図３】
2007195041.tif 000005
【図４】
2007195041.tif 000006
【図５】
2007195041.tif 000007
【図６】
2007195041.tif 000008
【図７】
2007195041.tif 000009
【図８】
2007195041.tif 000010
【図９】
2007195041.tif 000011